(57)【要約】【課題】 本発明は、両側の紙幣搬送装置にて搬送してくる紙幣を一箇所にて整列収納することが可能な紙幣収納装置で、店の導入する設備費用が低減し、概観上の島デザインの見た目も良くなり、紙幣の姿勢を変換せずに整列収納するため、紙幣詰まり等のトラブルをなくすことで店員の修復する作業の負担を軽減することができる。【解決手段】  紙幣収納装置は、両側の紙幣搬送装置にて搬送してきた紙幣を取込む紙幣取込口と、両側の紙幣取込口に取込まれた紙幣を一待機部に搬送する搬送駆動部と、両側の搬送駆動部にて取込んだ紙幣を異なる位置に一時待機させる区分け部材を中央に位置した第一待機部及び第二待機部と、待機している紙幣を押し出す紙幣押出機構と、該紙幣押出機構によって押し出された紙幣を収納する共有紙幣収納部と、から構成した。【選択図】      図５
2005052504.tif 000002
【特許請求の範囲】
【請求項１】
両側の横方向に配列された遊技台の上方近傍に設置され、遊技台配列方向に沿って紙幣を搬送する紙幣搬送装置の終端に紙幣収納装置を備え、該紙幣収納装置内に両側の紙幣搬送装置から搬送された紙幣を一箇所の整列収納部に収納する紙幣収納装置において、
上記紙幣収納装置は、両側の紙幣搬送装置にて搬送してきた紙幣を取り込む第一取込口及び第二取込口と、該第一取込口及び第二取込口から取り込まれた紙幣を第一待機部及び第二待機部に搬送する第一搬送駆動部及び第二搬送駆動部と、該第一搬送駆動部及び第二搬送駆動部にて取込んだ紙幣を前後の位置に一時待機させる区分け部材を中央に位置した第一待機部及び第二待機部と、待機している紙幣を押し出す紙幣押出機構と、該紙幣押出機構によって押し出された紙幣を収納する共有紙幣収納部と、から構成したことを特徴とする、遊技島における紙幣収納装置。
【請求項２】
請求項１記載の遊技島における紙幣収納装置において、
上記第一取込口から取り込んだ紙幣を第一待機部に導くように延設した第一通路と、上記第二取込口から取り込んだ紙幣を第二待機部に導くように延設した第二通路と、上記第一通路及び第二通路との間に設けた区分け部材とを、上下面の位置に対向して設け、第一取込口から取り込んだ紙幣を第一待機部に、第二取込口から取り込んだ紙幣を第二待機部にそれぞれ導く際、上記区分け部材によって前後の位置に一時待機させるようにしたことを特徴とする、遊技島における紙幣収納装置。
【請求項３】
請求項１又は請求項２記載の遊技島における紙幣収納装置において、
両側の紙幣搬送装置にて搬送されてきた紙幣を取り込む第一取込口及び第二取込口と、該第一取込口及び第二取込口に取り込まれた紙幣を第一待機部及び第二待機部に搬送する第一搬送駆動部及び第二搬送駆動部とを備え、何れか一方の搬送駆動部の駆動源を、他方の搬送駆動部に伝達駆動ベルトを介して伝達することにより、両方の搬送駆動部を駆動させて、両側から搬送してくる紙幣を取り込むようにしたことを特徴とする、遊技島における紙幣収納装置。
【発明の詳細な説明】
【技術分野】
【０００１】
本発明は、例えば、両側の横方向に配列された遊技台の上方近傍に設置され、遊技台配列方向に沿って紙幣を搬送する紙幣搬送装置の終端に紙幣収納装置を備え、該紙幣収納装置内に両側の紙幣搬送装置から搬送された紙幣を一箇所に整列収納する紙幣収納装置に関するものである。
【背景技術】
【０００２】
パチンコ遊技店においては、パチンコ台やスロットマシン等の遊技台を横方向の両側に直線状に配置して遊技島を構築しているのが一般的である。図１は、遊技台を両側に複数台配列した遊技島が例示されている（図示は片側のみ）。図１において、遊技台２はスロットマシンとして例示され、遊技台２の間には遊技台の一台毎に遊技媒体貸出機３が配設されている。図示するスロットマシンに対応する遊技媒体は、メダルであるのでこの貸出機はメダル貸出機３が配設され、遊技台がパチンコ台であれば、遊技媒体貸出機はパチンコ玉貸出機が配設されている。遊技島１（スロットマシン設置島）には、さらに各遊技台の上方に設けられた遊技島設備品としての呼び出しランプ５及びその上方にストック箱等を置いておく玉箱収納部６が備えられている（尚、本発明と同じ符号にて説明）。
【特許文献１】特開２００３−７１１１４号公報
【０００３】
上記した文献においては、各紙幣投入口に投入された紙幣を搬送する紙幣搬送装置が備えられている。この紙幣搬送装置は、遊技島の内部に備える必要がないため、大掛かりな島改築を行うことなく、紙幣搬送装置を遊技島に簡易に後から遊技台の上部近傍の位置に設置することを可能にしている。
この紙幣搬送装置を説明すると、両側の横方向に配列された遊技台の上部近傍の前面側に、例えばユニット形態として遊技台の配列方向に延びる搬送路に沿って紙幣を起立姿勢で搬送する紙幣搬送部を有した紙幣搬送ユニットが備えられ、該紙幣搬送ユニットは、個々の遊技台に対応し、接続するように設けられている。このため、各紙幣搬送ユニットに設けた紙幣投入口に遊技客が紙幣を投入すると、各紙幣搬送ユニットを搬送していき島端の紙幣収納装置を備えた島管理装置にて回収するように成っている。上記紙幣搬送装置によれば、両側の横方向に配列された遊技台の上部近傍に設けることから、島端には紙幣収納装置を備えた島管理装置も両側に二箇所備える必要がある。
【０００４】
上述した紙幣搬送装置によって、大掛かりな島改築を行うことなく、紙幣搬送装置を遊技島の遊技台の上部近傍に設置することが出来る反面、遊技台及び遊技媒体貸出機が両側にある、所謂両面島の場合においては、両側の紙幣搬送装置の終端には紙幣収納装置を備えた島管理装置を二箇所、取付けなくてはならない。
【特許文献２】特開平１−２６１１３９号公報
【０００５】
ところで、上記の特許文献２においては、上述した紙幣搬送装置の取付け形態と異なるが、遊技島の最上部付近にユニット形態として遊技台の配列方向に延びる搬送路に沿って紙幣を起立姿勢で搬送する紙幣搬送部を有した紙幣搬送ユニットによって紙幣を搬送する構成が開示されている。両側に設けられた紙幣搬送装置によって島端まで搬送し、姿勢変換させた後に島端に設けられた一箇所の紙幣収納装置（回収部）にて整列収納するように構成されている（公報の第９図参照）。
【発明の開示】
【発明が解決しようとする課題】
【０００６】
特許文献１においては、島端の両側に二箇所の紙幣収納装置を備えた島管理装置を取付けることから、遊技店にとっては導入する設備費用（コストアップ）が負担となっていた。また、島端の両側に二箇所の紙幣収納装置を備えた島管理装置が取付けられているため、概観上の島デザインの見た目が悪い。
他方の特許文献２においては、一箇所の紙幣収納装置にて収納整列させるように構成しているが、終端付近にて紙幣の姿勢を変換しなくてはならず、この姿勢変換にて連続して紙幣が搬送されてくると、紙幣詰まりが頻繁に発生し易くトラブルの要因となっていた。トラブルになってしまうと、店員はその都度、紙幣詰まりの修復作業を行わなければならず、面倒で厄介な作業となっていた。特に、変換部位における修復作業は、作業し難く時間が掛かっていた。その修復している間は他の店員が手作業にて紙幣の回収を行う必要があった。
【０００７】
本発明は、以上の点に鑑み、遊技島の両側に設置した紙幣搬送装置にて搬送してくる紙幣を一箇所にて整列収納することが可能な紙幣収納装置によって、店の導入する設備費用が低減し、概観上の島デザインの見た目も良くなり、さらに紙幣の姿勢を変換せずに整列収納するため、紙幣詰まり等のトラブルをなくすことで、店員の修復する作業の負担を軽減することができる、紙幣収納装置を提供することを目的とする。
【課題を解決するための手段】
【０００８】
本発明の請求項１の構成によれば、両側の横方向に配列された遊技台の上方近傍に設置され、遊技台配列方向に沿って紙幣を搬送する紙幣搬送装置の終端に紙幣収納装置を備え、該紙幣収納装置内に両側の紙幣搬送装置から搬送された紙幣を一箇所の整列収納部に収納する紙幣収納装置において、
上記紙幣収納装置は、両側の紙幣搬送装置にて搬送してきた紙幣を取り込む第一取込口及び第二取込口と、該第一取込口及び第二取込口から取り込まれた紙幣を第一待機部及び第二待機部に搬送する第一搬送駆動部及び第二搬送駆動部と、該第一搬送駆動部及び第二搬送駆動部にて取込んだ紙幣を前後の位置に一時待機させる区分け部材を中央に位置した第一待機部及び第二待機部と、待機している紙幣を押し出す紙幣押出機構と、該紙幣押出機構によって押し出された紙幣を収納する共有紙幣収納部と、から構成したことよって達成される。
【０００９】
本発明の請求項２の構成によれば、請求項１記載の遊技島における紙幣収納装置において、
上記第一取込口から取り込んだ紙幣を第一待機部に導くように延設した第一通路と、上記第二取込口から取り込んだ紙幣を第二待機部に導くように延設した第二通路と、上記第一通路及び第二通路との間に設けた区分け部材とを、上下面の位置に対向して設け、第一取込口から取り込んだ紙幣を第一待機部に、第二取込口から取り込んだ紙幣を第二待機部にそれぞれ導く際、上記区分け部材によって前後の位置に一時待機させるようにしたことよって達成される。
【００１０】
本発明の請求項３の構成によれば、請求項１又は請求項２記載の遊技島における紙幣収納装置において、
両側の紙幣搬送装置にて搬送されてきた紙幣を取り込む第一取込口及び第二取込口と、該第一取込口及び第二取込口に取り込まれた紙幣を第一待機部及び第二待機部に搬送する第一搬送駆動部及び第二搬送駆動部とを備え、何れか一方の搬送駆動部の駆動源を、他方の搬送駆動部に伝達駆動ベルトを介して伝達することにより、両方の搬送駆動部を駆動させて、両側から搬送してくる紙幣を取り込むようにしたことよって達成される。
【発明の効果】
【００１１】
以上のように本発明の構成においては、遊技島の両側に設置した紙幣搬送装置にて搬送されてきた紙幣を第一取込口及び第二取込口から取り込み、第一搬送駆動部及び第二搬送駆動部の駆動によって内部の第一待機部及び第二待機部にて一時待機させ、紙幣押出機構にて押し出すことにより、一箇所の共有紙幣収納部に整列収納することが出来る。また、取り込んだ紙幣は、区分け部材を中央に位置した第一待機部及び第二待機部によって紙幣を前後の位置に一時待機させることが出来るため、第一取込口から取込まれた紙幣は第一通路を経て第一待機部に、第二取込口から取込まれた紙幣は第二通路を経て第二待機部へと導かれるため、両側から同時に進入してきても紙幣同士の先端が衝突することがない。
【００１２】
また、紙幣を内部に搬送する両側に設けた搬送駆動部（第一搬送駆動部及び第二搬送駆動部）においては、何れか一方の搬送駆動部の駆動源を、他方の搬送駆動部に伝達駆動ベルトを介して伝達することにより、両方の搬送駆動部が駆動する。よって、搬送駆動部の駆動源（駆動モータ）が片側のみで済むため、さらに製品コストが低減する。
【００１３】
かくして、本発明によれば、店の導入する設備費用が低減し、概観上の島デザインの見た目も良くなり、さらに紙幣の姿勢を変換せずに整列収納するため、紙幣詰まり等のトラブルをなくすことで、店員の修復する作業の負担を軽減することが出来る。
【発明を実施するための最良の形態】
【００１４】
以下、本発明の遊技島における紙幣収納装置の好適な実施形態を図に基づいて説明する。図１は、紙幣搬送装置と島端に備えた紙幣収納装置とを配設した遊技島を示す概略斜視図であり、図２は、同上の遊技島を示す概略平面図である。図３は、本発明に係る紙幣収納装置の概略構成を示す外観斜視図であり、図４は、同上の紙幣収納装置の概略構成を示す外観背面斜視図である。
以下に説明する実施形態の紙幣搬送装置は、ユニット形態から成る紙幣搬送ユニットを複数台連接した構成による説明としたが、この紙幣搬送装置の構成に限定されるものでなく、例えば一本の搬送ベルトを遊技島の長さに掛け渡し、紙幣を挟持して搬送する構成の紙幣搬送装置でも良く、他の構成の紙幣搬送装置にて紙幣を紙幣収納装置に回収するようにしても良い。
【実施例１】
【００１５】
図１に示すように、遊技島１には複数の遊技台２と遊技媒体貸出機３とが横方向に配列して構築されている。遊技島１は、遊技台同士が背中合わせとなるように２列（所謂、両面島）に配列するのが一般的であり、通常、遊技台２毎には隣接して遊技媒体貸出機３が配列されている。尚、二台の遊技台の間に一台の遊技媒体貸出機３を配列する遊技島もある。
ここでは、遊技台２がスロットマシンなので、遊技媒体貸出機３はメダル貸出機が配列されたスロットマシン設置遊技島１となる。また、図示しないが遊技台がパチンコ台の場合、遊技媒体貸出機はパチンコ玉貸出機が配列されたパチンコ台設置遊技島となる。
以下の説明においては、スロットマシン（以下、遊技台２という）、メダル貸出機（以下、貸出機３という）、を配列した両面島のスロットマシン設置島１とし、以下、図２において両側（両面島）に配列した紙幣搬送装置１０から紙幣収納装置２０に収納する説明においては、向かって右側に配列した側の紙幣搬送装置を一方側１０Ｒと称し、向かって左側に配列した側の紙幣搬送装置を他方側１０Ｌと称して説明する。向かって右側に関連する構成は、一方側としてＲの符号が付き、向かって左側に関連する構成は、他方側としてＬの符号が付けられている。
【００１６】
このスロットマシン設置島１には、背中合わせに２列で複数の遊技台２と、貸出機３が配列され、各遊技台２の上方近傍に遊技島１と同じ長さに延在する取付板４（ランプ板）が設けられている。この取付板４に、遊技台２の配列ピッチと略同じ長さを有する紙幣投入口１０ｂを備えた紙幣搬送ユニット１０ａが配置され、各紙幣搬送ユニット１０ａが横方向に接続されることによって紙幣搬送装置１０を構成している。ここでの紙幣搬送装置１０は、図１及び図２のように島の上方近傍の両側に各々列と成して配置されている。上記した紙幣搬送ユニット１０ａの紙幣搬送部１０ｃ（紙幣搬送部本体）の前面には、遊技の内容や状況に応じた表示、動作を行うための操作部を有する呼び出しランプ５が取付けられている。尚、呼び出しランプ５以外の遊技設備（例えば、玉箱収納部６）が取付く場合もある。
尚、上記においては背中合わせに２列で複数の遊技台を設置した両面島として説明したが、遊技台一列を横方向に配列した片面島のスロットマシン設置遊技島（所謂、壁島やパチンコ台併設島）にも適用することが出来る。また、従来は、この片面島のスロットマシン設置遊技島の場合は、右側の片面島用の紙幣収納装置、左側の片面島用の紙幣収納装置と各々仕様（収納する向き）を替えて設置していたが、本発明の紙幣収納装置を取り付けることによって、何れ側の片面島用でも共有して取付けることも出来る。尚、使用しない片側の方はカバーで塞いでいる（不図示）。
【００１７】
一方側１Ｒの列に配置（紙幣搬送装置１０Ｒ側）の紙幣搬送ユニット１０ａの紙幣投入口１０ｂに投入された紙幣は、紙幣搬送ユニット１０ａの内部に送り込まれ、下流側の紙幣搬送ユニット１０ａに順次送られていき、紙幣は島端に設けられた共有紙幣収納部４０を備えた紙幣収納装置２０内に送られ、内部の整列収納部４０ａにて揃えられて整列収納される。同じように他方側１Ｌの列に配置（紙幣搬送装置１０Ｌ側）の紙幣搬送ユニット１０ａの紙幣投入口１０ｂに投入された紙幣は、紙幣搬送ユニット１０ａの内部に送り込まれ、下流側の紙幣搬送ユニット１０ａに順次送られていき、紙幣は島端に設けられた共有紙幣収納部４０を備えた紙幣収納装置２０内に送られ、内部の整列収納部４０ａにて揃えられて整列収納される。このように搬送されてきた紙幣は共有紙幣収納部４０の整列収納部４０ａ内に紙幣押出機構３５を作動させることによって押し出される。尚、この時の押し出す動作（タイミング）については、後述で説明する。
【００１８】
遊技客が遊技開始するにあたって、縦型の紙幣投入口１０ｂに紙幣を投入する。投入された千円紙幣（ここでの受入れ紙幣は、千円紙幣のみ）は、内部の識別装置（不図示の紙幣識別手段）にて正札、偽札が識別され、正札と識別すると貸出機３から投入金額に応じた枚数（５０枚）のメダルが貸出される。そして、投入された紙幣は上述した紙幣搬送ユニット１０ａの紙幣搬送装置１０にて順次搬送されていき、島端に設けられた紙幣収納装置２０内の共有紙幣収納部４０に整列収納される。尚、偽札と識別すると投入した千円紙幣は紙幣投入口１０ｂから返却される。
【００１９】
上記においては、受入れ紙幣は千円紙幣としたが、流通されている他の紙幣（二千円紙幣、五千円紙幣、一万円紙幣）も受入れることが出来る。この時の識別装置は正札、偽札の識別と、紙幣の金種を識別し、投入された紙幣は上述した紙幣搬送ユニット１０ａにて搬送され、紙幣収納装置２０内の共有紙幣収納部４０に混在したまま整列収納されることになる。
【００２０】
次に、本発明の要旨である紙幣収納装置２０の各構成について説明する。
図１又は図２に示すように、紙幣収納装置２０は遊技島１の終端の妻板の上方寄りに取り付けられた島管理装置１６内に備えられている。そして、遊技島１（１Ｒ、１Ｌ）の横方向に配列され遊技台２の上方近傍の両側に配列された紙幣搬送装置１０（１０Ｒ、１０Ｌ）にて搬送してくる紙幣を順次整列収納するように構成されている。
上記島管理装置１６内には、上記した紙幣収納装置２０と島の運転状況やトラブルや売上げ集計する等の操作部を有した制御部１６ａとが設けられ、この遊技島１における運営管理を行うよう矩形した本体ケース内に収められている。さらに、上記した島管理装置１６の両側には、終端の紙幣搬送装置１０と接続する屈曲した迂回搬送部１５（１５Ｒ、１５Ｌ）が設けられ、両側に配列された紙幣搬送装置１０Ｒ、１０Ｌの終端と接続されている。よって、両側に配列された紙幣搬送装置１０Ｒ、１０Ｌにて搬送してきた紙幣はこの迂回搬送部１５Ｒ、１５Ｌを経由して後述する紙幣収納装置２０の第一取込口２２Ｒ、第二取込口２２Ｌに取込まれる。
【００２１】
紙幣収納装置２０は、筐体２０ａ内に、両側に配列した紙幣搬送装置１０にて搬送されてきた紙幣を取り込む紙幣取込口２２（第一取込口２２Ｒ、第二取込口２２Ｌ）と、両側の紙幣取込口２２から取り込んだ紙幣を内部に搬送する搬送駆動部２３（第一搬送駆動部２３Ｒ、第二搬送駆動部２３Ｌ）と、両側の搬送駆動部２３にて取込んだ紙幣を一時待機させる一時待機部２８（第一待機部２８Ｒ、第二待機部２８Ｌ）と、区分け部材３２を中央にして両側に位置した第一待機部２８Ｒ及び第二待機部２８Ｌと、待機している紙幣を押し出す紙幣押出機構３５と、該紙幣押出機構３５によって押し出された紙幣を収納する共有紙幣収納部４０と、から大略構成されている。
また、第一取込口２２Ｒから取り込んだ紙幣を第一待機部２８Ｒに導くように延設した第一通路３０Ｒと、第二取込口２２Ｌから取り込んだ紙幣を第二待機部２８Ｌに導くように延設した第二通路３０Ｌと、第一通路３０Ｒ及び第二通路３０Ｌとの間に凸片状と成した中央突片３３の区分け部材３２とを、上下面の位置に対向するように設け、第一取込口２２Ｒから取り込んだ紙幣を第一待機部２８Ｒに、第二取込口２２Ｌから取り込んだ紙幣を第二待機部２８Ｌにそれぞれ導く際、上記した区分け部材３２によって前後の位置に一時待機させるようにしている。
また、中央に設けた凸片状と成した中央突片３３と、該中央突片３３の両側の凸片状と成した側壁突片３４とを設けることによって、一時待機している紙幣の上下端縁を保持するようにしている。よって、一時待機している長手姿勢の紙幣が倒れることなく維持され、後続から取り込まれる紙幣によって紙幣詰まりすることがない。
【００２２】
このように構成した紙幣収納装置２０においては、一方側１Ｒに配列した紙幣搬送装置１０Ｒにて搬送されてきた紙幣は第一取込口２２Ｒから取込まれ、第一搬送駆動部２３Ｒによって第一通路３０Ｒから第一待機部２８Ｒへ導かれて待機し、他方側１Ｌに配列した紙幣搬送装置１０Ｌにて搬送されてきた紙幣は第二取込口２２Ｌから取込まれ、第二搬送駆動部２３Ｌによって第二通路３０Ｌから第二待機部２８Ｌ側へ導かれて一時待機する。この時の一時待機状態においては、上記したように第一待機部２８Ｒ及び第二待機部２８Ｌ間の上下面（上蓋と基盤）に設けた区分け部材３２の中央突片３３により、待機した紙幣を別々のスペースに一時待機させるおくことができる。
【００２３】
図５に示すように、紙幣収納装置２０は、両端に開口した第一取込口２２Ｒ及び第二取込口２２Ｌと、第一搬送駆動部２３Ｒ及び第二搬送駆動部２３Ｌと、第一待機部２８Ｒ及び第二待機部２８Ｌと、紙幣を押し出す紙幣押出機構３５と、一箇所に整列収納する共有紙幣収納部４０とから構成されている。第一取込口２２Ｒ及び第二取込口２２Ｌと、第一搬送駆動部２３Ｒ及び第二搬送駆動部２３Ｌは、収納本体部２０ｂの両側端縁に配置され、第一待機部２８Ｒ及び第二待機部２８Ｌと、紙幣押出機構３５と、共有紙幣収納部４０は収納本体部２０ｂの中央付近に関連付けてそれぞれ配置されている。そして、中央付近の第一待機部２８Ｒ及び第二待機部２８Ｌに待機した紙幣は、検知部によって押出すタイミングを計り、紙幣押出機構３５が動作することで共有紙幣収納部４０へと押出して整列収納部４０ａ内にて整列収納される。
【００２４】
次に、上記した紙幣収納装置２０の各構成を順次説明していく。先ず、紙幣収納装置２０の各構成のうち、紙幣取込口２２（第一取込口２２Ｒ及び第二取込口２２Ｌ）の構成について説明する。
紙幣取込口２２は、それぞれ迂回搬送部１５の終端と接続されていて、両側に配列した紙幣搬送装置１０から搬送されてきた紙幣は迂回搬送部１５を経由して取り込むように縦型に開口されている。尚、接続部位のみ少し幅広に形成されており、受け渡す際の紙幣詰まりを防止している。そして、紙幣搬送装置１０（１０Ｒ、１ｏＬ）から搬送されてきた紙幣は迂回搬送部１５（１５Ｒ、１５Ｌ）にて搬送された紙幣は紙幣取込口２２（第一取込口２２Ｒ、第二取込口２２Ｌ）から受け入れられて、後述する連接した両側の搬送駆動部２３（第一搬送駆動部２３Ｒ、第二搬送駆動部２３Ｌ）にて搬送され、一時待機部２８（第一待機部２８Ｒ、第二待機部２８Ｌ）へと送り込まれていく。
つまり、一方側１Ｒから搬送してきた紙幣は第一取込口２２Ｒに取り込まれ、後述する第一通路３０Ｒから第一待機部２８Ｒに導かれて長手姿勢で一時待機し、他方側１Ｌから搬送してきた紙幣は第二取込口２２Ｌに取込まれ、第二通路３０Ｌから第二待機部２８Ｌに導かれて長手姿勢で一時待機している。このように第一待機部２８Ｒ及び第二待機部２８Ｌに別々のスペースに区別して待機させることが出来るため、紙幣が同時に進入してきても衝突することがない。
【００２５】
次に、一時待機部２８（第一待機部２８Ｒ及び第二待機部２８Ｌ）の構成について説明する。収納本体部２０ｂは、収納本体ケース２０ｃと、駆動本体ケース２０ｄとから形成されている。
収納本体ケース２０ｃは、図８又は図９に示すように基盤２０ｅの上には両端（第一取込口２２Ｒ及び第二取込口２２Ｌ）付近から折曲した起立側壁を有し、その起立側壁の両側を延設して略長方形に形成した共有紙幣収納部４０が形成されている。この共有紙幣収納部４０の前側に第一待機部２８Ｒ及び第二待機部２８Ｌが設けられている。
また、基盤２０ｅに折曲した起立側壁の上方には、該起立側壁と同じ長さを有した上蓋２０ｆが被せ長方形状（駆動本体ケース２０ｄ）に密閉と成すように覆っている（図３及び図４参照）。この上蓋２０ｆの裏面にも第一待機部２８Ｒ及第二待機部２８Ｌが同じ位置となるように設けられている。つまり、上記した第一待機部２８Ｒ及び第二待機部２８Ｌは、下面の基盤２０ｅの端縁側と、上面の上蓋２０ｆの端縁側に対向するように設けられている。このように上下面に設けた第一待機部２８Ｒ及び第二待機部２８Ｌの中央突片３３と側壁突片３４によって、長手姿勢の紙幣の上端側の一部部分と下端側の一部部分を保持することで、長手姿勢の紙幣を倒れることなく一時待機させておき、この長手姿勢を維持させた紙幣の中央部位（空間部位）を紙幣押出し機構３５によって押出すことが出来るのである。
【００２６】
下面の基盤２０ｅに設けた第一待機部２８Ｒ及び第二待機部２８Ｌと、上面の上蓋２０ｆの裏面に設けた第一待機部２８Ｒ及び第二待機部２８Ｌの細部を説明する。
下面の基盤２０ｅに設けた第一待機部２８Ｒは、一方側１Ｒの片側に開口された第一取込口２２Ｒと湾曲通路とを経由して設けられた第一通路３０Ｒとして形成されている。該湾曲通路と第一通路３０Ｒは連接された長辺の長さを有した側壁突片３４にて通路と成している。
また、下面の基盤２０ｅに設けた第二待機部２８Ｌは、他方側１Ｌの片側に開口された第二取込口２２Ｌと湾曲通路とを経由して設けられた第二通路３０Ｌとして形成されている。該湾曲通路と第二通路３０Ｌは連接された長辺の長さを有した側壁突片３４にて通路と成している。この下面の第一待機部２８Ｒ（第一通路３０Ｒ）及び第二待機部２８Ｌ（第二通路３０Ｌ）の間には、傾斜状の中央突片３３と成した区分け部材３２が設けられている。
さらに、上記した第一待機部２８Ｒは、第一取込口２２Ｒから湾曲通路を経由して搬送する第一待機部２８Ｒの入口側が幅広く、奥に（第二取込口２２Ｌ）向かって先細と成るように形成されている。第二待機部２８Ｌにおいても同様に、第二取込口２２Ｌから湾曲通路を経由して搬送する第二待機部２８Ｌの入口側が幅広く、奥に（第一取込口２２Ｒ）向かって先細と成るように形成されている。このように形成することによって、第一取込口２２Ｒ及び第二取込口２２Ｌから取込まれてきた紙幣の先端と、既に待機している紙幣の終端とが衝突して紙幣詰まりしないようにしている。
【００２７】
次に、上面の上蓋２０ｆの裏面に設けた第一待機部２８Ｒ及び第二待機部２８Ｌは、上述した下面の基盤２０ｅに設けた第一待機部２８Ｒ及び第二待機部２８Ｌの構成と同じように両側の湾曲通路と、第一通路３０Ｒ及び第二通路３０Ｌ（湾曲通路と連接された長辺の長さを有した側壁突片３４の通路）を形成し、同じ位置となるように対向し、被せられている（図９又は図１０）。
そして、一方側１Ｒから搬送してきた紙幣は第一取込口２２Ｒに取込まれ、第一通路３０Ｒと成した通路から第一待機部２８Ｒに導かれて長手姿勢で一時待機する。他方側１Ｌから搬送してきた紙幣は第二取込口２２Ｌに取込まれ、第二通路３０Ｌと成した通路から第二待機部２８Ｌに導かれて長手姿勢で一時待機する。
【００２８】
次に、第一待機部２８Ｒ及び第二待機部２８Ｌに待機した長手姿勢の紙幣を共有紙幣収納部４０に押し出す紙幣押出機構３５の構成について説明する。
図５は、紙幣収納装置の概略構成を示す外観平面図であり、図６は、紙幣収納装置の搬送駆動部の構成を示す平面図である。
図５又は図１１に示すように、紙幣押出機構３５は収納本体ケース２０ｃの基盤２０ｅの略中央に設けられている。そして、第一待機部２８Ｒ及び第二待機部２８Ｌに待機した長手姿勢の紙幣を後述する第一検知部２６、第二検知部２７にて検知し、押出し制御に基づいて共有紙幣収納部４０へと順次、押し出すように成している。
紙幣押出機構３５は、駆動モータ３５ａとスタック板３５ｂと押出機構３６とから大略構成されている。スタック板３５ｂは、長手姿勢の紙幣よりやや大きめの長方形に形成され、裏側には上、下に取付け部と湾曲長孔３６ｂを有したクランク部材３５ｃが設けられている。上記裏側に設けた上、下の取付け部にクロス状に成した収縮部材３６ａが上下に取付けられている。駆動モータ３５ａの回転軸の先端がクランク部材３５ｃに設けた湾曲長孔３６ｂに軸支されている。よって、駆動モータ３５ａが駆動すると、回転する回転軸の先端が湾曲長孔３６ｂ間を移動することにより、スタック板３５ｂが前後方向（収縮動作）に移動する。このときクロス状に成した収縮部材３６ａにて均等に押出すように作用させている。
【００２９】
次に、紙幣を整列収納する共有紙幣収納部４０の構成について説明する。
図５又は図６に示すように共有紙幣収納部４０は、収納本体部２０ｂの上面側の収納本体ケース２０ｃの略中央付近に設けられ、上述した第一待機部２８Ｒ及び第二待機部２８Ｌに待機した紙幣を紙幣押出機構３５によって押し出された紙幣を整列収納させるものである。
【００３０】
共有紙幣収納部４０は、整列収納部４０ａと該整列収納部４０ａの下面に設けたスライド機構４１とから、大略構成されている。
該整列収納部４０ａは、基盤２０ｅに折曲した起立側壁を延設して略長方形に形成されている。また、上面が開口され、下面の中央に後述するスタック保持板４１ａのスライド機構４１がスライド動作するようにスライド通路４１ｂが形成されている。上記した整列収納部４０ａに起立姿勢の紙幣が多数枚（例えば、８００枚）収納することが出来るようにしている。上記したスタック板３５ｂと、スタック保持板４１ａとが対向した同じ姿勢に設けられている。
スライド機構４１は、スライド軸４１ｃを挿通したスライド通路４１ｂにスタック保持板４１ａを有したスライド保持部４１ｄが、スライド（前後動作）するように成している。
スタック保持板４１ａは、長手姿勢の紙幣よりやや大きめの長方形に形成され起立してスライド保持部４１ｄに保持されている。このスライド保持部４１ｄにスライド軸４１ｃが挿通され、このスライド保持部４１ｄによって水平方向に保持したままスライドする。スライド保持部４１ｄには両端に回動ローラ４１ｅを軸支しているため転動する際、スムーズにスライド通路４１ｂを横振れすることがなくスライドする。また、スライド保持部４１ｄの一端と側壁の他端とを挿通したスライド軸４１ｃに弾性材４１ｆ（コイルバネ）が設けられ、この弾性材４１ｆの引張力は押出し機構側に付勢されている。
【００３１】
上記した共有紙幣収納部４０における整列収納部４０ａの紙幣収納状態を説明する。
営業前は、スライド通路４１ｂのスライド保持部４１ｄのスタック保持板４１ａは、弾性材４１ｆの引張力によって上述した第一待機部２８Ｒ及び第二待機部２８Ｌ側寄りに位置している。そして、営業していくと次第の両側の紙幣搬送装置１０にて搬送された紙幣が取込まれ、第一待機部２８Ｒ及び第二待機部２８Ｌに待機した紙幣は紙幣押出機構３５によって押し出されて順次整列収納されていく。整列する収納枚数が次第に増えていくとスライド保持部４１ｄのスタック保持板４１ａが弾性材４１ｆの引張力に反して次第に後退していくが、常時、弾性材４１ｆの引張力は押出機構側に付勢されているため、紙幣がバラけることなく整列して収納することができる。尚、図示しないが整列収納部４０ａの端部寄りに満杯状態を検知する満杯検知部が設けられていて、この満杯検知部にて検知すると満杯に近い状態である旨が島管理装置１６の制御部１６ａに出力（満杯トラブル信号）され、外部報知するようにしている。
【００３２】
次に、搬送駆動部２３（第一搬送駆動部２３Ｒ及び第二搬送駆動部２３Ｌ）の構成について説明する。
尚、搬送駆動部２３の構造についての説明は、両側共に同じ構成（共通）なので、一方側１Ｒである第一取込口２２Ｒ側のみ説明とし、他方側１Ｌの第二取込口２２Ｌ側の説明は省略する。
図６図と、図１１又は図１２に示すように搬送駆動部２３は、収納本体部２０ｂの上面側の収納本体ケース２０ｃの両側付近に設けられ、上述した両側の迂回搬送部１５（１５Ｒ、１５Ｌ）に連接した第一取込口２２Ｒ及び第二取込口２２Ｌから受け入れた紙幣を内部の第一待機部２８Ｒ及び第二待機部２８Ｌに導くために送り出すためのものである。
【００３３】
第一搬送駆動部２３Ｒは、第一取込口２２Ｒ側の取込み通路２５ａと、該取込み通路２５ａに対峙した駆動機構と、駆動モータ２４ａとから大略構成されている。駆動機構は、取込み通路２５ａを挟んで両端に各々軸支された外側駆動部２４と内側駆動部２５とから成している。
外側駆動部２４は、上面側に回転ローラ２４ｉを設けた回転軸２４ｆと、伝達ローラ２４ｈを設けた回転軸２４ｇとが軸支され、回転ローラ２４ｉと伝達ローラ２４ｈとに回動ベルト２４ｊが巻回されている。回転軸２４ｆは、上方に回転ローラ２４ｉを、下方に伝達歯車２４ｅを基盤２０ｅに挿通して設けられている。回転軸２４ｇは、上方に伝達ローラ２４ｈを、下方に駆動歯車２４ｄを基盤２０ｅに挿通して設けられ、下方の駆動歯車２４ｄと伝達歯車２４ｅとが噛み合う位置に軸支されている。この駆動歯車２４ｄと駆動モータ２４ａの回転軸に設けた歯車２４ｂとが伝達ベルト２４ｃにて巻回されている。
内側駆動部２５は、上述した外側駆動部２４の上面に軸支された回転ローラ２４ｉと伝達ローラ２４ｈと同じ高さに各々プーリー状のローラに形成したもので、テンションを付与させるためのものである。この回転ローラ２４ｉ及び伝達ローラ２４ｈに巻回した回動ベルト２４ｊと、各々プーリー状の補助ローラ２５ｂとは紙幣が一枚通過できる隙間弱と成している。尚、伝達ローラ２４ｈを軸支した回転軸２４ｇと、該回転軸２４ｇに対峙した位置の補助ローラ２５ｂを軸支した二本の回転軸２５ｃ、２５ｄの上端は上蓋２０ｆに設けたベアリングに各々軸支されている。上記した補助ローラ２５ｂのうち、内側寄りの補助ローラ２５ｂの上部には多数枚の羽根２５ｅが設けられていて補助ローラ２５ｂの回動に伴って回転する。この回転する羽根２５ｅの先端によって一時待機した紙幣の終端を当接させることで終端の長さを揃えることが出来る。
【００３４】
このように、例えば第一取込口側２２Ｒの第一搬送駆動部２３Ｒは、駆動モータ２４ａの駆動に伴い歯車２４ｂが駆動すると、下面側に巻回した伝達ベルト２４ｃにより駆動歯車２４ｄが回動し、該駆動歯車２４ｄに軸支された上面側の伝達ローラ２４ｈが回転し、駆動歯車２４ｄと噛み合う伝達歯車２４ｅにて上面側の回転ローラ２４ｉも回転する。上面側の回転ローラ２４ｉと伝達ローラ２４ｈに巻回した回動ベルト２４ｊも回動し、取込まれた紙幣はこの回動ベルト２４ｊと上述した内側駆動部２５の二本の補助ローラ２５ｂによって挟持しながら第一通路３０Ｒを介して第一待機部２８Ｒへと送り込まれていく。
搬送駆動部２３Ｒには、二個の検知部２６、２７が設けられていて、この二個の検知部２６、２７の検知に基づいて、上述した紙幣押出機構３５が動作するように構成されている。
尚、ここでの搬送駆動部２３Ｒの駆動モータ２４ａは、第一取込口２２Ｒ側の付近に検知部を設け、この検知部にて検知した時、駆動モータ２４ａが駆動する間欠動作する駆動制御としているが、常時駆動する駆動制御としても良い。
【００３５】
次に、搬送駆動部２３（第一搬送駆動部２３Ｒ及び第二搬送駆動部２３Ｌ）の構造の他の実施形態について説明する。
上述した搬送駆動部２３（第一搬送駆動部２３Ｒ及び第二搬送駆動部２３Ｌ）は、両側に駆動モータ２４ａを設けて両側の駆動機構を駆動するよう成したが、ここでは一個の駆動モータ２４ａによって駆動するような構造にした。尚、上述した駆動機構の構成と同じものは説明を省略する。
両側の紙幣搬送装置１０Ｒ、１０Ｌにて搬送されてきた紙幣を取込む第一取込口２２Ｒ及び第二取込口２２Ｌと、該第一取込口２２Ｒ及び第二取込口２２Ｌに連接して紙幣を内部に搬送する両側の第一搬送駆動部２３Ｒ及び第二搬送駆動部２３Ｌとが備えられ、一方側１Ｒの第一搬送駆動部２３Ｒの駆動源を、他方側１Ｌの第二搬送駆動部２３Ｌに伝達駆動ベルト２４Ｃを介して伝達させて、他方側１Ｌの第二搬送駆動部２３Ｌを駆動させる構造としている。
図１３に示すように収納本体ケース２０ｃの下面側に、一方側１Ｒの駆動モータ２４ａの駆動歯車２４ｄと、他方側１Ｌの駆動歯車２４ｄとが一本の伝達駆動ベルト２４Ｃで巻回させることで、一方側１Ｒの駆動モータ２４ａの駆動源を他方側１Ｌへと伝達し、他方側１Ｌの第二搬送駆動部２３Ｌが駆動することになる。よって、駆動モータ２４ａが一個でも両側の搬送駆動部２３を駆動させることが出来る。
【００３６】
次に、図７に基づいて検知部（第一検知部２６、第二検知部２７）について説明する。
ここでも両側共に同じ構成（共通）なので、一方側１Ｒである第一取込口２２Ｒ側に設けた二個の第一検知部２６、第二検知部２７のみ説明とし、他方側１Ｌの第二取込口２２Ｌ側に設けた第一検知部２６、第二検知部２７の説明は省略する。
第一検知部２６は、紙幣が進入してきたことを検知するように第一取込口２２Ｒから第一待機部２８Ｒへ通じる第一通路３０Ｒの第一搬送駆動部２３Ｒ（投入口付近）に設けられている。
第二検知部２７は、第一検知部２６から少し間隔をおいた伝達ローラ２４ｈの上部に取付けられている。この間隔は、紙幣の通過するに足りる長さの分としている。また、第二検知部２７は、紙幣の通過を検知すると共に、この通過する数を検知して売上げ出力している。この第一取込口２２Ｒに設けた検知によって、一方側１Ｒの遊技島１Ｒに連接した紙幣搬送装置１０Ｒにて搬送されてくる紙幣の枚数を売上げとしてカウントし、各貸出機３の売上げ出力と合っているか、掌握することが出来る。また、遊技島１Ｒ、１Ｌに配列した各貸出機３の売上げを配列毎に掌握することも出来る。
上記した二個の検知部（第一検知部２６、第二検知部２７）の検知に基づいて、第一待機部２８Ｒに待機した紙幣を紙幣押出機構３５にて押出して共有紙幣収納部４０へと紙幣詰まりすることなく押出している。ここでの二個の第一検知部２６、第二検知部２７は、片を有したアクチェータ式による検知としたが、透過型センサ等でも良く、種類に限定するものでない。
【００３７】
次に、第一取込口２２Ｒから取込まれ、第一待機部２８Ｒのみに待機している紙幣を紙幣押出機構３５にて押出す動作（タイミング）について説明する。
第一検知部２６にて迂回搬送部１５Ｒから搬送され、第一取込口２２Ｒ付近にて紙幣の先端を検知し、搬送されてきたことを検知すると共にこの第一検知部２６の検知にて、後続から紙幣が搬送されてくるか検知している。
第一検知部２６（一個目）を紙幣が通過し、その紙幣が第二検知部２７（二個目）を通過した時、一個目の第一検知部２６を再検知した時、後続の紙幣にて一個目の第一検知部２６が、また検知すると紙幣押出機構３５は押し出し動作せず、取込まれた紙幣は第一待機部２８Ｒに待機したままでいる。つまり、一個目の第一検知部２６と二個目の第二検知部２７が検知している時は、既に取り込まれた紙幣の背面側に次々と起立姿勢にて重なって複数枚が待機状態でいる。そして、一個目の第一検知部２６にて検知しない時（後続の紙幣が来ないと判断した）、第一待機部２８Ｒに待機した複数枚の紙幣を紙幣押出機構３５が動作することにより、整列収納部４０ａの共有紙幣収納部４０へと押し出すことが出来る。
また、第二取込口２２Ｌから取り込まれ、第二待機部２８Ｌのみに待機している紙幣を紙幣押出機構３５にて押し出す動作（タイミング）についても、同様なので説明は省略する。
【００３８】
さらに、第一取込口２２Ｒから取込まれ、第一待機部２８Ｒに待機している紙幣と、第二取込口２２Ｌから取込まれ、第二待機部２８Ｌに待機している両側の紙幣を同時に紙幣押出機構３５にて押出す動作（タイミング）について説明する。
押し出す動作については、上述したタイミングにて押し出すようにしているが、先ず、第一取込口２２Ｒに設けた一個目の第一検知部２６にて検知していないと判断し、さらに第二取込口２２Ｌに設けた一個目の第一検知部２６にて検知していないと判断した時に、両側の紙幣を同時に紙幣押出機構３５にて整列収納部４０ａに押し出して収納するようにしている。つまり、両側に設けた一個目の第一検知部２６が検知していないと判断した時のみ動作し、何れか側の一個目の第一検知部２６が検知すると、動作は行わず、第一待機部２８Ｒ及び第二待機部２８Ｌに取込まれた紙幣の背面側に次々と起立姿勢にて重なり合い複数枚が待機状態でいる。
以上に説明した紙幣収納装置２０の各構成の動作は、島管理装置１６内に設けた制御部１６ａにて動作制御するように成している。
【図面の簡単な説明】
【００３９】
【図１】本発明に係わる紙幣搬送装置と島端に備えた紙幣収納装置とを配設した遊技島を示す概略斜視図である。
【図２】同上の遊技島を示す概略平面図である。
【図３】本発明に係わる紙幣収納装置の概略構成を示す外観斜視図である。
【図４】同上の紙幣収納装置の概略構成を示す外観背面斜視図である。
【図５】本発明に係わる紙幣収納装置の概略構成を示す外観平面図である。
【図６】本発明に係わる紙幣収納装置の搬送駆動部の構成を示す平面図である。
【図７】同上の紙幣収納装置の構成のうち検知部を示す平面図である。
【図８】本発明の紙幣収納装置に設けた収納本体部（収納本体ケース）を示す平面図である。
【図９】同上の紙幣収納装置に設けた収納本体部の（収納本体ケースと上蓋）外観斜視図である。
【図１０】同上の紙幣収納装置に設けた収納本体部の上蓋を示す外観斜視図である。
【図１１】本発明に係わる紙幣収納装置の搬送駆動部の構成を示す背面図である。
【図１２】紙幣収納装置の搬送駆動部を下面側から見た斜視図である。
【図１３】紙幣収納装置の搬送駆動部の他の実施形態を示す斜視図である。
【符号の説明】
【００４０】
１      遊技島（一方側列１Ｒ  他方側列１Ｌ）
１０    紙幣搬送装置（一方側列１０Ｒ  他方側列１０Ｌ）
２０    紙幣収納装置
２２    紙幣取込口（第一取込口２２Ｒ、第二取込口２２Ｌ）
２３    搬送駆動部（第一搬送駆動部２３Ｒ  第二搬送駆動部２３Ｌ）
２６    第一検知部
２７    第二検知部
２８    一時待機部（第一待機部２８Ｒ  第二待機部２８Ｌ）
３０    導入通路（第一通路３０Ｒ  第二通路３０Ｌ）
３２    区分け部材
３３    中央突片
３５    紙幣押出機構
４０    共有紙幣収納部
４０ａ  整列収納部
４０Ｃ  伝達駆動ベルト
【図１】
2005052504.tif 000003
【図２】
2005052504.tif 000004
【図３】
2005052504.tif 000005
【図４】
2005052504.tif 000006
【図５】
2005052504.tif 000007
【図６】
2005052504.tif 000008
【図７】
2005052504.tif 000009
【図８】
2005052504.tif 000010
【図９】
2005052504.tif 000011
【図１０】
2005052504.tif 000012
【図１１】
2005052504.tif 000013
【図１２】
2005052504.tif 000014
【図１３】
2005052504.tif 000015